(57)【要約】      （修正有）【課題】紙書類の格納場所と、紙書類を電子化した電子書類との対応を取ることをが可能とする書類処理装置を提供する。【解決手段】書類処理装置１は、１または２以上の紙書類が格納されている箱に存在するコードであり、箱の格納場所を特定する場所識別子に対応するコードを読み取った結果である読取結果を受信する受信部１３と、箱に格納されている１以上の紙書類を電子化した１以上の電子書類を受け付ける受付部１２と、場所識別子と１以上の電子書類とを対応付けて蓄積する格納部１１と、を備得る。【選択図】図１
2019200696.tif 000002
【特許請求の範囲】
【請求項１】
１または２以上の紙書類が格納されている箱に存在するコードであり、前記箱の格納場所を特定する場所識別子に対応するコードを読み取った結果である読取結果を受信する受信部と、
前記箱に格納されている１以上の紙書類を電子化した１以上の電子書類を受け付ける受付部と、
前記場所識別子と前記１以上の電子書類とを対応付けて蓄積する蓄積部とを具備する書類処理装置。
【請求項２】
前記１以上の各電子書類は、保存義務期限を示す期限情報に対応付いており、
前記電子書類に対して、当該電子書類に対応付いている期限情報に応じた処理を行う期限処理部をさらに具備する請求項１記載の書類処理装置。
【請求項３】
前記１以上の各電子書類は、原本が紙書類か電子書類かのいずれであるか特定する種類情報に対応付いており、
前記電子書類に対して、当該電子書類に対応付いている種類情報に応じた処理を行う種類処理部をさらに具備する請求項１または請求項２記載の書類処理装置。
【請求項４】
前記１以上の各電子書類から予め決められた文字列を取得し、当該文字列に対応する属性値を取得する属性値取得部をさらに具備し、
前記蓄積部は、
前記属性値を、前記文字列を含む電子書類に対応付けて蓄積する請求項１から請求項３いずれか一項に記載の書類処理装置。
【請求項５】
受信部、受付部、および蓄積部によって実現される書類処理方法であって、
前記受信部が、１または２以上の紙書類が格納されている箱に存在するコードであり、前記箱の格納場所を特定する場所識別子に対応するコードを読み取った結果である読取結果を受信する受信ステップと、
前記受付部が、前記箱に格納されている１以上の紙書類を電子化した１以上の電子書類を受け付ける受付ステップと、
蓄積部が、前記場所識別子と前記１以上の電子書類とを対応付けて蓄積する蓄積ステップとを含む書類処理方法。
【請求項６】
コンピュータを、
１または２以上の紙書類が格納されている箱に存在するコードであり、前記箱の格納場所を特定する場所識別子に対応するコードを読み取った結果である読取結果を受信する受信部と、
前記箱に格納されている１以上の紙書類を電子化した１以上の電子書類を受け付ける受付部と、
前記場所識別子と前記１以上の電子書類とを対応付けて蓄積する蓄積部として機能させるためのプログラム。
【発明の詳細な説明】
【技術分野】
【０００１】
本発明は、書類を処理する書類処理装置等に関するものである。
【背景技術】
【０００２】
従来、紙文書を顧客マスタに紐付けて電子化するシステムが存在した（例えば、特許文献１参照）。
【先行技術文献】
【特許文献】
【０００３】
【特許文献１】特開２０１４−６７５８号公報
【発明の概要】
【発明が解決しようとする課題】
【０００４】
しかし、従来技術においては、紙書類の格納場所と、当該紙書類を電子化した電子書類との対応を取ることが困難であった。
【課題を解決するための手段】
【０００５】
本第一の発明の書類処理装置は、１または２以上の紙書類が格納されている箱に存在するコードであり、箱の格納場所を特定する場所識別子に対応するコードを読み取った結果である読取結果を受信する受信部と、箱に格納されている１以上の紙書類を電子化した１以上の電子書類を受け付ける受付部と、場所識別子と１以上の電子書類とを対応付けて蓄積する蓄積部とを具備する書類処理装置である。
【０００６】
かかる構成により、紙書類の格納場所と、当該紙書類を電子化した電子書類との対応を取ることが可能となる。
【０００７】
また、本第二の発明の書類処理装置は、第一の発明に対して、１以上の各電子書類は、保存義務期限を示す期限情報に対応付いており、電子書類に対して、電子書類に対応付いている期限情報に応じた処理を行う期限処理部をさらに具備する書類処理装置である。
【０００８】
かかる構成により、保存義務期限に応じた処理を行える。
【０００９】
また、本第三の発明の書類処理装置は、第一または第二の発明に対して、１以上の各電子書類は、原本が紙書類か電子書類かのいずれであるか特定する種類情報に対応付いており、電子書類に対して、電子書類に対応付いている種類情報に応じた処理を行う種類処理部をさらに具備する書類処理装置である。
【００１０】
かかる構成により、原本の種類に応じた処理を行える。
【００１１】
また、本第四の発明の書類処理装置は、第一から第三いずれか１つの発明に対して、１以上の各電子書類から予め決められた文字列を取得し、文字列に対応する属性値を取得する属性値取得部をさらに具備し、蓄積部は、属性値を、文字列を含む電子書類に対応付けて蓄積する書類処理装置である。
【００１２】
かかる構成により、書類の属性値を自動取得し、管理できる。
【発明の効果】
【００１３】
本発明による書類処理装置によれば、紙書類の格納場所と、当該紙書類を電子化した電子書類との対応を取ることが可能となる。
【図面の簡単な説明】
【００１４】
【図１】実施の形態における情報システムのブロック図
【図２】同書類処理装置の動作を説明するフローチャート
【図３】同情報システムによるサービスの概要図
【図４】同対応情報のデータ構造図
【図５】同電子書類情報のデータ構造
【図６】同箱の一例を示す図
【図７】同端末装置の画面の例を示す図
【図８】同コンピュータシステムの外観図
【図９】同コンピュータシステムの内部構成の一例を示す図
【発明を実施するための形態】
【００１５】
以下、書類処理装置等の実施形態について図面を参照して説明する。なお、実施の形態において同じ符号を付した構成要素は同様の動作を行うので、再度の説明を省略する場合がある。
【００１６】
図１は、本実施の形態における情報システムのブロック図である。情報システムは、書類処理装置１、および１または２以上の端末装置２を備える。１以上の各端末装置２は、例えば、ＬＡＮやインターネット等のネットワーク、無線または有線の通信回線などを介して、書類処理装置１と通信可能に接続される。
【００１７】
書類処理装置１は、例えば、情報システムを運営する運営企業のサーバであるが、クラウドサーバやＡＳＰサーバ等でもよく、そのタイプや所在は問わない。
【００１８】
端末装置２は、例えば、運営企業の端末であるが、依頼者の端末でもよい。依頼者とは、運営企業に対し、紙の書類の保管および電子化を依頼する者である。依頼者は、例えば、企業や団体等の組織またはその職員であるが、個人でもよい。
【００１９】
端末は、例えば、携帯端末である。携帯端末は、例えば、タブレット端末、スマートフォン、携帯電話機、ノートＰＣ等であるいが、その種類は問わない。または、端末は、コードリーダやＩＣタグリーダ等の読取機、据え置き型のＰＣ等でもよく、後述するコードを読み取り可能な端末であれば、そのタイプや所在は問わない。
【００２０】
ただし、情報システムは、例えば、一のＰＣでも実現可能であり、そのハードウェア構成は問わない。
【００２１】
書類処理装置１は、格納部１１、受付部１２、受信部１３、処理部１４、および出力部１５を備える。受付部１２は、出力指示受付部１２１、および電子書類受付部１２２を備える。処理部１４は、蓄積部１４１、期限処理部１４２、種類処理部１４３、属性値取得部１４４を備える。出力部１５は、電子書類出力部１５１を備える。
【００２２】
端末装置２は、端末格納部２１、端末受付部２２、端末処理部２３、端末送信部２４、端末受信部２５、および端末出力部２６を備える。
【００２３】
書類処理装置１を構成する格納部１１は、各種の情報を格納し得る。各種の情報とは、例えば、電子書類である。なお、他の情報については、適時説明する。
【００２４】
電子書類とは、電子的な書類である。電子書類は、例えば、紙の書類の電磁的な記録といってもよい。電磁的な記録とは、紙書類の記載内容と同等の情報が、例えば、格納部１１を実現するハードディスクやＳＳＤ等の記録媒体に記録されている場合である、といってもよい。電子書類は、例えば、画像、テキスト、ＰＤＦ等であるが、そのデータ形式は問わない。
【００２５】
紙書類は、例えば、各種の帳簿や計算書といった、法的に一定期間の保存が義務付けられている書類である。法的な保存期間は、例えば、１０年、７年、５年等であるが、その長短は問わない。または、紙書類は、法的な保存義務はなくても、一定期間の保存が必要な書類（例えば、１年、３年といった一定の期間ごとに更新される契約書等）でもよく、その種類は問わない。
【００２６】
電子書類は、例えば、上記のような紙書類をスキャナで光学的に読み込んだ画像（つまり、スキャン画像）である。または、電子書類は、紙書類の記載と同じ内容を有するテキストや表のデータであってもよい。あるいは、電子書類は、スキャン画像やテキスト等のデータをＰＤＦ化したファイル（ＰＤＦファイル）でも構わない。ＰＤＦファイルは、その改変が困難な点で、電子書類として好適である。
【００２７】
また、電子書類には、例えば、電子署名が付与されていてもよい。電子署名とは、その電子書類の作成者を示す情報である。さらに、電子書類には、タイムスタンプが付与されていてもよい。タイムスタンプとは、その電子書類が作成された時刻を示す情報である。なお、時刻は、通常、年月日および時分秒を有するが、秒を有さなくてもよいし、年月日のみを有してもよく、そのデータ構造は問わない。
【００２８】
電子署名およびタイムスタンプの付与によって、例えば、その時刻にその電子文書が存在していたこと、さらには、その時刻以降にその電子文書が改ざんされていないこと、などの証明が可能になる。ただし、電子書類は、電子署名やタイムスタンプ等を有さなくてもよく、そのデータ構造は問わない。
【００２９】
紙書類は、例えば、箱に格納した状態で、予め決められた場所に格納される。予め決められた場所とは、例えば、書庫、棚、金庫、倉庫などであるが、１または２以上の箱を格納し得る場所であれば、その位置や大きさは問わない。
【００３０】
なお、一の箱には、通常、２以上の紙書類が格納されるが、１つの紙書類だけが格納されてもよい。そして、１以上の書類を格納している１または２以上の箱が、書庫等の場所に格納される。
【００３１】
また、一の場所には、通常、２以上の箱が格納されるが、１つの箱だけが格納されてもよい。または、１つの箱が存在する領域を、一の場所と考えても構わない。
【００３２】
１以上の紙書類が格納されている箱には、コードが存在している。コードとは、場所識別子等の情報が埋め込まれた図柄である、といってもよい。コードには、場所識別子のみが埋め込まれていてもよいし、それ以外の情報（例えば、箱識別子、属性値など）も埋め込まれていても構わない。箱識別子とは、箱を識別する情報である。箱識別子は、例えば、“Ｂ１”，“Ｂ２”等のＩＤであるが、その表現形式は問わない。また、属性値は、通常、その箱に格納される書類の属性を示す情報（例えば、“帳簿”，“領収書”，“１０年保存”等）であるが、例えば、箱自体の属性を示す情報（例えば、その箱のユーザを識別するユーザ識別子等）でもよい。
【００３３】
コードは、例えば、ＱＲコード（登録商標）、バーコードなどであるが、その他の一次元または二次元のコードでもよい。ただし、コードは、図柄に限らず、例えば、文字や記号の配列であってもよいし、または、図柄が、文字列等も含み得ると考えても構わない。この種のコードは、例えば、カメラやコードリーダ等の読取手段で光学的に読み取り可能である。
【００３４】
さらに、コードは、例えば、場所識別子等の情報の電磁的な記録であってもよい。ここでの電磁的な記録とは、場所識別子等の情報が、例えば、ＩＣタグや磁気カード等の携帯型記録媒体に記録されている場合をいう。この種のコードは、例えば、ＩＣタグリーダや磁気カードリーダ機等の読取手段で電磁的に読み取り可能である。このように、コードの態様は問わない。
【００３５】
箱にコードが存在していることは、例えば、コードを印刷したシールや紙片等が箱に貼り付けられていることであるが、箱自体に予めコードが印刷されていることでも、コードを構成する文字列等が手書きされていることでもよいし、コードが記録されたＩＣタグ等の記録媒体が箱に取り付けられていることでも構わない。
【００３６】
コードには、通常、場所識別子が埋め込まれている。場所識別子とは、場所を識別する情報である。場所とは、紙書類が格納されている場所（以下、格納場所）である。格納場所は、通常、１以上の紙書類を格納している箱が格納されている場所（例えば、書庫や棚等）であるが、箱自体も、場所の一種と考えても構わない。
【００３７】
場所識別子は、例えば、場所名、場所のＩＤなどである。場所名は、例えば、“書庫”、“書庫内の第一棚”、“金庫”、“金庫内の箱Ｂ１”等であるが、その表現形式は問わない。場所のＩＤは、例えば、部屋のＩＤ、棚のＩＤ等であるが、箱のＩＤでもよいし、建物のＩＤでも構わない。
【００３８】
または、場所識別子は、例えば、上記のような各種の場所ＩＤのうち、包含関係にある２種類以上の場所ＩＤを組み合わせて構成されてもよい。つまり、場所識別子は、階層構造を有していてもよい。この種の場所識別子は、例えば、部屋のＩＤ、当該部屋内の区画のＩＤ、および当該区画内の棚のＩＤで構成されてもよいし、棚のＩＤ、および当該棚内の箱のＩＤの組で構成されていてもよく、その階層の深さや、各階層に対応する場所ＩＤの種類は問わない。
【００３９】
ただし、場所識別子は、紙書類が格納されている場所を特定し得る情報であれば、そのデータ構造は問わない。
【００４０】
また、コードには、必ずしも場所識別子が埋め込まれていなくてもよい。例えば、格納部１１に、図柄と場所識別子との対の集合を格納しておけば、コードは、単なる図柄であっても構わない。
【００４１】
格納部１１には、通常、後述する電子書類受付部１２２が受け付けた１または２以上の電子書類が格納される。ただし、格納部１１には、例えば、外部の装置で作成された１または２以上の電子書類が、予め格納されていてもよい。
【００４２】
格納される１以上の各電子文書には、例えば、種類情報が対応付いている。種類情報とは、原本が紙書類または電子書類のいずれであるかを特定する情報である。種類情報は、例えば、原本が紙書類である旨の第一の文字列（例えば、“紙原本”）、または原本が電子書類である旨の第二の文字列（例えば、“電子原本”）、のいずれかを示すテキストデータである。または、種類情報は、原本が紙書類であるか否かを示す二値のデータ（例えば、原本が紙書類であることを示す“１”、原本が紙書類でないことを示す“０”）でもよいし、原本が電子書類であることを示すフラグでもよく、原本が紙書類か電子書類かを特定し得る情報であれば、その表現形式は問わない。
【００４３】
また、格納される１以上の各電子文書には、期限情報が対応付いていてもよい。期限情報とは、文書の保存義務期限を示す情報である。保存義務期限とは、保存が義務付けられている期間が終了する時期（終期）といってもよい。期限情報は、通常、終期を示す情報（例えば、日付または日時）であるが、当該期間の始期および長さを示す情報でもよく、終期を特定可能な情報であれば、その種類は問わない。言い換えると、期限情報は、通常、保存義務が終了する時期を示す絶対期限情報であるが、例えば、保存義務が終了するまでの期間を示す相対的期限情報でもよい。各電子文書に対応付いている期限情報は、当該電子文書から取得されることは好適であるが、ユーザが入力した情報でもよい。
【００４４】
前者（つまり、自動取得）の場合、例えば、「帳簿」、「領収書」等の予め決められた１または２以上の文字列を、「１０年保存」、「５年保存」等の期限情報に対応付けて格納部１１に格納しておく。そして、各文字列をキーとして、電子文書のタイトル（通常、文書の先頭部分）を検索し、いずれかの文字列が検出された場合に、その文字列に対応する期限情報を取得すればよい。なお、かかる処理は、後述する属性値取得部１４４によって行われる。
【００４５】
また、こうして取得される期限情報は、相対期限情報であるが、格納部１１に格納されている１以上の各電子文書には、通常、当該電子文書が格納部１１に蓄積された時刻を示す時刻情報が対応付いているため、この時刻情報が示す時刻に、取得された期限情報が示す期間を加算することで、絶対期限情報と見なし得る期限情報を取得できる。こうして取得される期限情報が示す終期は、通常、法的な終期よりも遅いため、取得された期限情報を絶対期限情報と見なしても特に問題はない。
【００４６】
後者（つまり、手入力）の場合は、ユーザが、当該電子文書を閲覧し、例えば、「平成ｙｙ年ｍｍ月ｎｎ日まで有効」といった、絶対期限情報を含む記載があれば、その絶対期限情報「平成ｙｙ年ｍｍ月ｎｎ日」を入力する。または、ユーザは、当該電子文書の種類（例えば、「帳簿」、「領収書」等）から、その相対期限（例えば「１０年保存」、「５年保存」等）を判断し、当該文書に記載されている発行日に、相対期限を加算した加算結果である絶対期限情報を入力してもよい。なお、かかる手入力は、後述する受付部１２が、キーボード等の入力デバイスを介して受け付ける。
【００４７】
受付部１２は、各種の指示や各種の情報を受け付ける。各種の指示とは、例えば、後述する出力指示、後述する削除指示などである。各種の情報とは、例えば、電子書類などである。受け付けとは、キーボードやタッチパネルやスキャナ等の入力デバイスから入力された情報の受け付け、有線もしくは無線の通信回線を介して送信された情報の受信、ディスクや半導体メモリなどの記録媒体から読み出された情報の受け付けなどを含む概念である。
【００４８】
受付部１２は、例えば、書類処理装置１内の入力デバイスを介して、出力指示等の情報を受け付けてもよいし、または、端末装置２で受け付けられた出力指示等の情報を、端末装置２から受信しても構わない。
【００４９】
出力指示受付部１２１は、出力指示を受け付ける。出力指示とは、電子文書を出力する旨の指示である。出力指示は、例えば、１または２以上の文書識別子を有する。文書識別子とは、電子文書を識別する情報である。文書識別子は、例えば、文書名、ファイル名、ＩＤなどであるが、電子文書を識別し得る情報であれば何でもよい。ただし、出力指示のデータ構造は問わない。
【００５０】
出力指示受付部１２１は、例えば、端末装置２から、端末識別子と対に、出力指示を受信する。端末識別子とは、端末装置２を識別する情報である。端末識別子は、例えば、ＭＡＣアドレスやＩＰアドレスであるが、ユーザ識別子やＩＤ等でもよく、端末を識別し得る情報であれば何でもよい。ユーザ識別子とは、端末装置２のユーザを識別する情報である。ユーザ識別子は、例えば、メールアドレスや携帯電話番号などであるが、ユーザを識別し得る情報であれば何でもよい。
【００５１】
なお、情報システムを構成する端末装置２がただ１つの場合、端末識別子は送受信されなくてもよい。また、かかる事項は、電子書類受付部１２２にも共通する。
【００５２】
または、出力指示受付部１２１は、書類処理装置１内の入力デバイスを介して、出力指示を受け付けてもよい。
【００５３】
電子書類受付部１２２は、１以上の箱ごとに、当該箱に格納されている１または２以上の電子書類を受け付ける。電子書類受付部１２２は、例えば、端末装置２から、端末識別子と対に、電子書類を受信する。
【００５４】
または、電子書類受付部１２２は、書類処理装置１内のスキャナを介して、紙書類の画像を取得してもよい。また、電子書類受付部１２２は、取得した画像をＰＤＦ化し、ＰＤＦファイルを取得してもよい。さらに、電子書類受付部１２２は、取得した画像またはＰＤＦファイルに、例えば、ＭＰＵの内蔵時計やＮＴＰサーバからの現在時刻に基づくタイムスタンプを付与してもよい。
【００５５】
受信部１３は、各種の情報を受信する。各種の情報とは、例えば、読取結果である。読取結果とは、箱に存在するコードを読み取った結果である。読取結果は、通常、コードから取得される場所識別子であるが、コードでもよい。
【００５６】
受信部１３は、例えば、端末装置２から、端末識別子と対に、読取結果を受信する。
【００５７】
また、受信部１３は、例えば、後述する電子書類受付部１２２が、一の箱に格納されている１以上の紙書類に対応する１以上の電子書類の受け付けを開始する前に、その箱に関する読取結果を受信する。または、受信部１３が一の箱に関する読取結果を受信した後、電子書類受付部１２２は、その箱に格納されている１以上の紙書類に対応する１以上の電子書類の受け付けを開始してもよく、受信部１３が読取結果を受信するタイミングは問わない。
【００５８】
処理部１４は、各種の処理を行う。各種の処理とは、例えば、蓄積部１４１、期限処理部１４２、種類処理部１４３、属性値取得部１４４などの処理である。なお、処理部１４は、フローチャートで説明する各種の判別や判断なども行う。
【００５９】
蓄積部１４１は、受信部１３が受信した読取結果である又はそこから取得される場所識別子と、電子書類受付部１２２が受け付けた１以上の電子書類とを対応付けて蓄積する。
【００６０】
また、例えば、後述する属性値取得部１４４が、１以上の各電子書類から予め決められた文字列を取得し、当該文字列に対応する属性値を取得した場合に、蓄積部１４１は、取得された属性値を、当該文字列を含む電子書類に対応付けて蓄積する。
【００６１】
蓄積部１４１は、場所識別子、１以上の電子書類、属性値等を対応付けて、例えば、格納部１１に蓄積するが、外部の装置に蓄積してもよく、その蓄積場所は問わない。
【００６２】
期限処理部１４２は、格納部１１に格納されている１以上の各電子書類に対して、当該電子書類に対応付いている期限情報に応じた処理を行う。期限情報に応じた処理は、例えば、期限を越えた場合に、削除可能である旨の通知、削除などを行うこと（以下、期限処理と記す場合がある）である。
【００６３】
詳しくは、期限処理部１４２は、例えば、格納部１１に格納されている１以上の電子書類ごとに、当該電子書類に対応付いている期限情報を取得し、取得した期限情報が予め決められた条件を満たす場合に、期限処理を実行する。予め決められた条件は、例えば、現在時刻と、期限情報が示す期限との関係に関する条件である。すなわち、期限処理部１４２は、例えば、ＭＰＵの内蔵時計等が示す現在時刻が、当該期限情報が示す期限を超えたか否かを判別し、現在時刻が期限を超えた場合に、当該書類が削除可能である旨の通知を行う。通知を行うことは、例えば、当該電子書類の画像と、削除可能である旨を示す「削除可能」等の文字列とを有する画面をディスプレイに表示することである。表示される画像は、例えば、電子書類のアイコンであるが、電子書類自体でもよい。格納部１１には、１以上の各電子文書に対応付けて、当該電子文書のアイコンが格納されている。
【００６４】
または、通知を行うことは、かかる画面もしくは画面構成情報を、端末装置２に送信することでも構わない。画面構成情報とは、画面を構成するための情報である。画面構成情報は、例えば、アイコン、文字列のテキストデータ、およびレイアウト情報を含む。レイアウト情報とは、画面内における各表示要素（例えば、アイコン、文字列等）の配置を示す情報である。レイアウト情報は、例えば、当該表示要素の中心点の座標であるが、始点の座標および終点の座標の組でもよく、そのデータ形式は問わない。
【００６５】
表記のような通知に応じて、受付部１２が削除指示を受け付けた場合に、期限処理部１４２は、当該電子書類を格納部１１から削除する。削除指示とは、電子文書を削除する旨の指示である。削除指示は、例えば、１または２以上の文書識別子を有する。受け付けは、書類処理装置１内の入力デバイスを介した受け付けでも、端末装置２からの受信でもよい。
【００６６】
または、期限情報に応じた処理は、期限を越えた後、閾値以上の期間が経過した場合に、削除可能である旨の通知、自動削除などを行うこと（期限後処理）でもよい。
【００６７】
詳しくは、期限処理部１４２は、１以上の電子書類ごとに、当該電子書類に対応付いている期限情報を取得し、当該期限情報が示す期限に閾値を加算し、ＭＰＵの内蔵時計等が示す現在時刻が、加算後の期限を超えたか否かを判別する。
【００６８】
そして、現在時刻が加算後の期限を超えた場合、期限処理部１４２は、当該書類が削除可能である旨の通知を行い、通知に応じて削除指示が受け付けられた場合に、当該電子書類を格納部１１から削除する。または、期限処理部１４２は、現在時刻が加算後の期限を超えたことに応じて、自動的に当該電子書類を削除してもよい。
【００６９】
または、期限情報に応じた処理は、期限を超える閾値の期間（例えば、１ヶ月）前に、期限を越えそうな旨を通知すること（期限前処理）でもよい。
【００７０】
詳しくは、期限処理部１４２は、１以上の電子書類ごとに、当該電子書類に対応付いている期限情報を取得し、当該期限情報が示す期限から閾値を減算し、ＭＰＵの内蔵時計等が示す現在時刻が、減算後の期限を超えたか否かを判別する。そして、現在時刻が減算後の期限を超えた場合、期限処理部１４２は、期限を超えそうな旨の通知を行う。
【００７１】
なお、期限処理部１４２は、１以上の電子書類ごとに、期限前処理および期限処理を行うことは好適である。さらに、期限前処理の後の期限処理において、通知から予め決められた期間（例えば、３日、１週間等）が経過しても削除指示が受け付けられない場合に、期限処理部１４２は、期限後処理をも行うことは、より好適である。だたし、期限処理部１４２は、期限前処理なしで、期限処理および期限後処理を行っても構わない。
【００７２】
また、例えば、格納部１１にタイミング情報が格納されており、期限処理部１４２は、格納されているタイミング情報に基づいて、以上のような処理を行う。タイミング情報とは、期限処理部１４２が処理を行うタイミングに関する情報である。タイミング情報は、例えば、周期であるが、１または２以上の時刻の集合もよい。
【００７３】
期限処理部１４２は、例えば、前回処理を行った時刻（以下、前回処理時刻）を保持しており、ＭＰＵの内蔵時計等の示す現在時刻と、保持している前回処理時刻とを用いて、前回の処理からの経過時間が、タイミング情報の示す周期に対応する時間を超えた又は以上であるか否かを判別し、前回の処理からの経過時間が、タイミング情報の示す周期に対応する時間を超えた又は以上である場合に、以上のような処理を行う。
【００７４】
または、期限処理部１４２は、ＭＰＵの内蔵時計等の示す現在時刻が、保持しているタイミング情報が示す１以上の時刻のうちいずれか１つの時刻と一致するか否かを判別し、現在時間が、タイミング情報の示す１以上の時刻のうちいずれか１つの時刻と一致する場合に、以上のような処理を行ってもよい。
【００７５】
種類処理部１４３は、格納部１１に格納されている１以上の各電子書類に対して、当該電子書類に対応付いている種類情報に応じた処理を行う。
【００７６】
種類情報に応じた処理は、例えば、電子書類のアイコンに、種類情報を示す図柄を表示することである。詳しくは、例えば、格納部１１に、原本が紙書類であることを示す第一の図柄と、原本が電子書類であることを示す第二の図柄とが格納されている。種類処理部１４３は、格納部１１に格納されている１以上のアイコンごとに、当該アイコンに対応する電子書類に対応付いている種類情報を取得し、取得した種類情報に対応する第一または第二の図柄を格納部１１から取得し、取得した第一または第二の図柄を当該アイコンに対応付ける処理を行う。
【００７７】
または、種類情報に応じた処理は、電子書類を表示する場合に、その電子書類の種類情報をも表示することでもよい。詳しくは、例えば、出力指示受付部１２１が出力指示を受け付けたことに応じて、種類処理部１４３は、当該出力指示が有する１以上の文書識別子ごとに、当該文書識別子で識別される電子文書と対になる種類情報を格納部１１から取得し、取得した種類情報を当該種類情報と対に、電子書類出力部１５１に引き渡してもよい。
【００７８】
または、種類情報に応じた処理は、原本が電子書類である場合に、当該電子書類を削除できないようにすることでもよい。詳しくは、種類処理部１４３は、例えば、格納部１１に格納されている１以上の電子文書ごとに、当該電子文書と対になる種類情報を取得し、取得した種類情報が、原本が電子文書である旨を示す場合に、当該電子文書に対し、削除禁止を示す情報を対応付ける。なお、原本が紙文書である旨を示す場合には、種類処理部１４３は、例えば、当該電子文書に対し、削除可能を示す情報を対応付けてもよいし、何も対応付けなくてもよい。
【００７９】
または、種類情報に応じた処理は、原本が電子書類である場合に、当該電子書類を削除できない旨を通知することでもよい。詳しくは、種類処理部１４３は、例えば、１以上の電子文書ごとに、当該電子文書と対になる種類情報を取得し、取得した種類情報が、原本が電子文書である旨を示す場合に、当該電子文書に対し、削除禁止の通知を行うことを示す情報を対応付ける。なお、原本が紙文書である旨を示す場合には、種類処理部１４３は、例えば、当該電子文書に対し、削除可能の通知を行うことを示す情報を対応付けてもよいし、削除禁止の通知を行わないことを示す情報を対応付けてもよいし、何も対応付けなくてもよい。
【００８０】
電子書類出力部１５１は、受け付けられた出力指示が有する１以上の文書識別子で識別される１以上の電子文書を格納部１１から取得し、取得した１以上の電子文書に、種類処理部１４３から引き渡された１以上の種類情報をそれぞれ対応付け、ディスプレイに出力する。これによって、ディスプレイに１以上の電子書類が表示される場合に、当該１以上の各電子書類の種類情報も表示される結果となる。
【００８１】
属性値取得部１４４は、１以上の各電子書類から予め決められた文字列を取得し、文字列に対応する属性値を取得する。
【００８２】
詳しくは、例えば、格納部１１に、１または２以上の対応情報が格納されている。対応情報とは、文字列と属性値との対応を示す情報である。対応情報は、例えば、文字列と属性値との対で構成される。対応情報は、具体的には、例えば、文字列“帳簿”と属性値“１０年保存”との対、文字列“＄年ごとに自動更新”と属性値“＄年更新”との対などであるが、そのデータ構造は問わない。なお、“＄”は、変数であり、例えば、“２”や“０．５”等の数字である。
【００８３】
属性値取得部１４４は、例えば、１以上の電子文書ごとに、対応情報を構成する１または２以上の各文字列をキーに検索を行い、キーと合致する文字列が含まれているか否かを判別し、合致する文字列が含まれている場合に、その文字列に対応する属性値を対応情報から取得する処理を行う。
【００８４】
または、属性値取得部１４４は、１以上の電子文書ごとに、当該電子文書のタイトル（例えば、文書の先頭の文字列）を取得し、格納されている１以上の対応情報を用いて、取得した文字列に対応する属性値を取得してもよい。
【００８５】
または、属性値取得部１４４は、格納部１１に格納されている１以上の各電子書類に対して形態素解析を行うことにより、上記のような１以上の対応情報の集合である対応情報群を構成し、構成した対応情報群を用いて、電子書類受付部１２２が受け付けた新たな電子情報から属性値を取得してもよい。なお、形態素解析の対象は、各電子文書の全文でもよいし、特定の一部分（例えば、タイトル、概要欄など）でも構わない。
【００８６】
出力部１５は、各種の情報を出力する。各種の情報とは、例えば、電子書類、電子書類のアイコン、種類情報、第一または第二の図柄、電子書類が削除可能である旨の通知などである。出力とは、ディスプレイへの表示、スピーカからの音出力、プリンタでのプリントアウト、記録媒体への蓄積、他のプログラムへの処理結果の引渡し、外部の装置への送信などを含む概念である。
【００８７】
出力部１５は、電子書類等の情報を、例えば、ディスプレイに表示したり、端末装置２に送信したりする。ただし、電子書類等の情報は、格納部１１に蓄積されたり、プリンタでプリントアウトされたりしてもよく、その出力の態様は問わない。
【００８８】
電子書類出力部１５１は、電子書類を出力する。電子書類出力部１５１は、例えば、出力指示受付部１２１が出力指示を受け付けた場合に、当該出力指示が有する１以上の文書識別子で識別される１以上の電子文書を格納部１１から取得し、ディスプレイに出力する。これによって、ユーザが指示した１以上の電子書類が、ディスプレイに表示される。
【００８９】
または、上記のような出力指示の受け付けに応じて、種類処理部１４３が、１以上の種類情報を取得し、１以上の書類識別子と対に電子書類出力部１５１に引き渡した場合、電子書類出力部１５１は、格納部１１から取得した１以上の電子文書に、種類処理部１４３から引き渡された１以上の種類情報を対応付け、ディスプレイに出力する。これによって、ディスプレイには、電子書類と種類情報との組が、１組以上、表示される結果となる。
【００９０】
または、上記のような電子書類と種類情報との組に代えて、電子書類出力部１５１は、電子書類のアイコンと、種類情報を示す第一または第二の図柄との組を、ディスプレイに表示してもよい。
【００９１】
端末装置２を構成する端末格納部２１には、例えば、端末識別子が格納される。
【００９２】
端末受付部２２は、例えば、出力指示、削除指示、電子書類など受け付ける。
【００９３】
端末処理部２３は、例えば、端末受付部２２が出力指示等を受け付けたか否かの判別などを行う。
【００９４】
端末送信部２４は、例えば、端末受付部２２が受け付けた出力指示等を、端末格納部２１に格納されている端末識別子と対に、書類処理装置１に送信する。
【００９５】
端末受信部２５は、例えば、出力指示の送信に応じて、書類処理装置１から電子書類を受信する。
【００９６】
端末出力部２６は、例えば、端末受信部２５が受信した電子書類を出力する。出力は、通常、端末装置２内のディスプレイへの表示であるが、その出力態様も問わない。
【００９７】
格納部１１、および端末格納部２１は、例えば、ハードディスクやフラッシュメモリといった不揮発性の記録媒体が好適であるが、ＲＡＭなど揮発性の記録媒体でも実現可能である。
【００９８】
格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。なお、入力デバイスは、例えば、キーボード、マウス、タッチパネル等、何でもよい。
【００９９】
受付部１２、出力指示受付部１２１、電子書類受付部１２２、および端末受付部２２は、入力デバイスを含むと考えても、含まないと考えてもよい。受付部１２等は、入力デバイスのドライバーソフトによって、または入力デバイスとそのドライバーソフトとで実現され得る。
【０１００】
受信部１３、および端末受信部２５は、通常、有線または無線の通信手段（例えば、ＮＩＣ(Network interface controller)やモデム等の通信モジュール）で実現されるが、放送を受信する手段（例えば、放送受信モジュール）で実現されてもよい。なお、受付部１２等の受信機能も、同様に実現され得る。
【０１０１】
処理部１４、蓄積部１４１、期限処理部１４２、種類処理部１４３、属性値取得部１４４、および端末処理部２３は、通常、ＭＰＵやメモリ等から実現され得る。処理部１４等の処理手順は、通常、ソフトウェアで実現され、当該ソフトウェアはＲＯＭ等の記録媒体に記録されている。ただし、処理手順は、ハードウェア（専用回路）で実現してもよい。
【０１０２】
出力部１５、電子書類出力部１５１、および端末出力部２６は、ディスプレイやスピーカ等の出力デバイスを含むと考えても含まないと考えてもよい。出力部１５等は、出力デバイスのドライバーソフトによって、または出力デバイスとそのドライバーソフトとで実現され得る。
【０１０３】
端末送信部２４は、通常、有線または無線の通信手段で実現されるが、放送手段（例えば、放送モジュール）で実現されてもよい。なお、出力部１５等の送信機能も、同様に実現され得る。
【０１０４】
次に、情報システムの動作について図２のフローチャートを用いて説明する。図２は、書類処理装置１の動作を説明するフローチャートである。
【０１０５】
（ステップＳ２０１）処理部１４は、受信部１３が端末装置２から読取結果を受信したか否かを判別する。受信部１３が端末装置２から読取結果を受信した場合はステップＳ２０２に進み、受信していない場合はステップＳ２０３に進む。
【０１０６】
（ステップＳ２０２）蓄積部１４１は、ステップＳ２０１で受信された読取結果が有する場所識別子を格納部１１に蓄積する。その後、ステップＳ２０１に戻る。
【０１０７】
（ステップＳ２０３）処理部１４は、電子書類受付部１２２が電子書類を受け付けたか否かを判別する。電子書類受付部１２２が電子書類を受け付けた場合はステップＳ２０４に進み、受け付けていない場合はステップＳ２０５に進む。
【０１０８】
（ステップＳ２０４）蓄積部１４１は、ステップＳ２０３で受け付けられた電子書類を場所識別子に対応付けて格納部１１に蓄積する。
【０１０９】
（ステップＳ２０５）属性値取得部１４４は、変数ｉに初期値１をセットする。変数ｉとは、格納部１１に格納されている１以上の対応情報のうち、未選択の対応情報を順番に選択していくための変数である。
【０１１０】
（ステップＳ２０６）属性値取得部１４４は、ステップＳ２０３で受け付けられた電子書類にｉ番目の文字列が含まれているか否かを判別する。受け付けられた電子書類にｉ番目の文字列が含まれている場合はステップＳ２０７に進み、含まれていない場合はステップＳ２０１に戻る。
【０１１１】
（ステップＳ２０７）属性値取得部１４４は、ｉ番目の文字列に対応する属性値を取得する。
【０１１２】
（ステップＳ２０８）蓄積部１４１は、ステップＳ２０７で取得された属性値を、ステップＳ２０３で受け付けられた電子書類に対応付けて格納部１１に蓄積する。
【０１１３】
（ステップＳ２０９）属性値取得部１４４は、変数ｉをインクリメントする。その後、ステップＳ２０６に戻る。
【０１１４】
（ステップＳ２１０）期限処理部１４２は、期限情報に応じた処理を行うか否かを、例えば、格納部１１のタイミング情報と、ＭＰＵの内蔵時計等が示す現在時刻とを用いて判断する。期限情報に応じた処理を行う場合はステップＳ２１１に進み、行わない場合はステップＳ２０１に戻る。
【０１１５】
（ステップＳ２１１）期限処理部１４２は、変数ｊに初期値１をセットする。変数ｊとは、格納部１１に格納されている１以上の電子書類のうち、未選択の電子書類を順番に選択していくための変数である。
【０１１６】
（ステップＳ２１２）期限処理部１４２は、ｊ番目の電子書類があるか否かを判別する。ｊ番目の電子書類がある場合はステップＳ２１３に進み、ｊ番目の電子書類がない場合はステップＳ２０１に戻る。
【０１１７】
（ステップＳ２１３）期限処理部１４２は、ｊ番目の電子書類に対応付いた期限情報に応じた処理を行う。
【０１１８】
（ステップＳ２１４）期限処理部１４２は、変数ｊをインクリメントする。その後、ステップＳ２１２に戻る。
【０１１９】
なお、図２のフローチャートでは、電子書類を受け付けたこと又は蓄積したことに応じて、当該電子書類に対し、ステップＳ２０５〜Ｓ２０９の処理を実行しているが、かかる処理は、例えば、予め決められたタイミングで又はユーザ指示に応じて、格納部１１に格納されている１以上の電子書類に対し、順次または並列的に実行されてもよい。
【０１２０】
また、図２のフローチャートにおいて、書類処理装置１の電源オンやプログラムの起動に応じて処理が開始し、電源オフや処理終了の割り込みにより処理は終了する。ただし、処理の開始または終了のトリガは問わない。
【０１２１】
以下、本実施の形態における情報システムの具体的な動作例について説明する。なお、以下の説明は、種々の変更が可能であり、本発明の範囲を何ら制限するものではない。
【０１２２】
図３は、本例の情報システムによるサービスの概要図である。情報システムの運営企業は、顧客企業等の依頼者から電子化の依頼を受けると、まず、提携している運送業者を介して、紙書類を引き取る「引き取りサービス」を行う。次に、運営企業は、引き取った紙書類をスキャンし、法令に準拠した態様で電子化する「スキャニングサービス」を行う。なお、スキャニングサービスには、引き取りサービスで引き取った紙書類の電子化だけでなく、既に預かっている紙書類の電子化も含まれる。紙書類のスキャン画像はＰＤＦ化され、ＰＤＦ形式の電子文書が、クラウド上のサーバに格納される。依頼者は、こうしてサーバに格納された電子文書をブラウザ等で閲覧できる。
【０１２３】
また、運営業者は、引き取った紙書類の保管も行う。運営企業は、保管している紙書類を、依頼者からの要請に応じて取り出し、運送業者を介して依頼者の元に届ける。さらに、運営企業は、こうして届けた書類の引き取り、再保管をも行う。
【０１２４】
本例の情報システムは、書類処理装置１、および２以上の端末装置２を備える。２以上の各端末装置２は、無線ＬＡＮやインターネット等のネットワークを介して、書類処理装置１と通信可能に接続される。書類処理装置１は、情報システムを運営する運営企業のサーバである。
【０１２５】
２以上の端末装置２のうち、１つ（以下、端末装置２ａ）は、運営企業の職員ａが携帯する携帯端末であり、他の１つ（以下、端末装置２ｂ）は、依頼者ｂのＰＣである。
【０１２６】
端末装置２ａの端末格納部２１には、ユーザ識別子を兼ねる端末識別子“ａ”が格納されている。同様に、端末装置２ｂの端末格納部２１には、ユーザ識別子を兼ねる端末識別子“ｂ”が格納されている。
【０１２７】
書類処理装置１の格納部１１には、例えば、図４に示すような２以上の対応情報が格納されている。図４は、対応情報のデータ構造図である。対応情報は、文字列と属性値との対で構成される。属性値は、期限情報、および更新周期情報を含む。
【０１２８】
格納部１１に格納される２以上の各対応情報には、ＩＤ（例えば、“１”，“２”等）が対応付いている。例えば、ＩＤ“１”に対応する対応情報（以下、対応情報１と記す場合がある）は、文字列“帳簿”と、属性値“１０年保存，Ｎｕｌｌ”との対で構成される。なお、“Ｎｕｌｌ”は、対応情報等の情報がその要素を有さないことを示すフラグである。同様に、ＩＤ“２”に対応する対応情報（対応情報２）は、文字列“領収書”と、属性値“５年保存，Ｎｕｌｌ”との対で構成される。また、対応情報３は、文字列“２年ごとに自動更新”と、属性値“Ｎｕｌｌ，２年更新”との対で構成される。
【０１２９】
また、格納部１１には、例えば、図５に示すような１以上の電子書類情報が格納され得る。電子書類情報とは、電子書類に関する情報である。
【０１３０】
図５は、電子書類情報のデータ構造図である。電子書類情報は、例えば、場所識別子、箱識別子、電子書類、種類情報、および属性値などを有する。属性値は、期限情報、および更新周期情報を含む。
【０１３１】
また、図示は省略しているが、電子書類情報は、通常、時刻情報も有する。時刻情報は、電子書類情報が、格納部１１に蓄積された時刻（以下、蓄積時刻）、または直近に更新された時刻（更新時刻）を示す情報である。なお、時刻情報は、原本が作成された時刻（作成時刻）を示していてもよい。
【０１３２】
格納部１１に格納される２以上の電子書類情報には、ＩＤ（例えば、“１”，“２”等）が対応付いている。例えば、ＩＤ“１”に対応する電子書類情報（以下、電子書類情報１と記す場合がある）は、場所識別子“金庫”、箱識別子“Ｂ１”、電子書類Ｘｅ、種類情報“紙原本”、および属性値“１０年保存，Ｎｕｌｌ”を有する。
【０１３３】
同様に、ＩＤ“２”に対応する電子書類情報（電子書類情報２）は、場所識別子“書庫，第二棚”、箱識別子“Ｂ２”、電子書類Ｙｅ、種類情報“紙原本”、および属性値“５年保存，Ｎｕｌｌ”を有する。また、電子書類情報３は、場所識別子“”、箱識別子“”、電子書類Ｚｅ、種類情報“電子原本”、および属性値“Ｎｕｌｌ，２年周期”を有する。
【０１３４】
以上のように構成された情報システムを初めて利用する依頼者ｂは、端末装置２ｂを介して、運営企業のホームページにアクセスし、まず、依頼者情報の登録を行う。依頼者情報とは、依頼者に関する情報である。依頼者情報は、例えば、ユーザ識別子、依頼者名、住所等であるが、依頼者に関する情報であれば何でもよい。
【０１３５】
登録が完了すると、書類処理装置１の格納部１１に、依頼者ｂに関する依頼者情報が格納され、依頼者ｂは、紙書類の保管および電子化、または電子書類の保管を、運営企業に依頼することができる。
【０１３６】
依頼者ｂは、まず、２以上の紙書類の保管および電子化を依頼したとする。この場合、依頼者ｂは、端末装置２ｂを介して、書類情報と、保管および電子化の依頼とを入力する。書類情報とは、保管および電子化の対象となる１または２以上の紙書類に関する情報である。書類情報は、例えば、紙書類の枚数、保管期間などであるが、１以上の紙書類に関する情報であれば、その種類は問わない。入力された書類情報は、保管および電子化の依頼と共に、書類処理装置１に送信され、書類処理装置１の格納部１１に、依頼者情報に対応付けて蓄積される。
【０１３７】
また、保管および電子化の依頼に応じて、運営企業から依頼者ｂに、例えば、図６に示すような１または２以上の箱（本例では、２つの箱Ｂ１およびＢ２）が送付される。箱Ｂ１には、コードＣ１を印刷したシールが貼り付けられている。コードＣ１には、場所識別子“金庫”が埋め込まれている。箱Ｂ２には、コードＣ２を印刷したシールが貼り付けられている。コードＣ２には、場所識別子“書庫，第二棚”が埋め込まれている。
【０１３８】
なお、図示はしていないが、２つの箱Ｂ１およびＢ２の各々には、例えば、箱識別子（例えば、“Ｂ１”，“Ｂ２”等）、および依頼者ｂの依頼者情報を記載したラベルも添付されている。ただし、依頼者ｂ用の箱が１個のみである場合には、箱識別子は無くてもよい。
【０１３９】
また、図示はしていないが、２つの箱Ｂ１およびＢ２の各々には、企業情報が印刷されていてもよい。企業情報とは、運営企業に関する情報である。企業情報は、例えば、企業名、住所等であるが、運営企業に関する情報であれば、その種類は問わない。ただし、企業情報は、上記のラベルに記載されていてもよい。
【０１４０】
書類処理装置１の処理部１４は、例えば、依頼者ｂの依頼者情報に対応付けて、箱識別子とコードの画像との組の集合を格納部１１に蓄積することは好適である。箱識別子とコードの画像との組の集合とは、箱識別子Ｂ１とコードＣ１の画像との組、箱識別子Ｂ２とコードＣ２の画像との組などである。
【０１４１】
２以上の紙書類のうち１つ（以下、紙書類Ｘｐ）は、保存期間が１０年の帳簿であり、文字列“帳簿”を有する。２以上の紙の書類のうち他の１つ（以下、紙書類Ｙｐ）は、２年ごとに自動更新される契約書であり、文字列“２年ごとに自動更新”を有する。
【０１４２】
依頼者ｂは、紙書類Ｘｐを含む１以上の紙書類（以下、第一紙書類群）を箱Ｂ１に格納し、また、紙書類Ｙｐを含む他の１以上の紙書類（以下、第二紙書類群）を箱Ｂ２に格納する。そして、依頼者ｂは、これら２つの箱Ｂ１およびＢ２を、運営企業宛に、例えば、当該運用企業指定の運送業者を介して発送する。
【０１４３】
２つの箱Ｂ１およびＢ２が運営企業に到着すると、職員ａは、端末装置２のカメラを用いて、まず、箱Ｂ１に存在するコードＣ１を読み取る。
【０１４４】
端末装置２において、端末受付部２２が上記読取結果（つまり、コードＣ１）を受け付け、端末送信部２４は、受け付けられたコードＣ１を、端末格納部２１に格納されている端末識別子“ｂ”と対に、書類処理装置１に送信する。
【０１４５】
書類処理装置１において、受信部１３が上記コードＣ１を受信し、端末処理部２３は、受信されたコードＣ１から場所識別子“金庫”を取得する。蓄積部１４１は、取得された場所識別子“金庫”を、箱識別子“Ｂ１”に対応付けて格納部１１に蓄積する。
【０１４６】
次に、職員ａは、箱Ｂ１から第一紙書類群を取り出し、書類処理装置１のスキャナを介して、第一紙書類群の読み込みを行う。スキャナは、例えば、紙書類Ｘｐを読み込み、電子書類Ｘｅを出力する。電子書類Ｘｅは、紙書類Ｘｐのスキャン画像である。
【０１４７】
書類処理装置１において、電子書類受付部１２２が電子書類Ｘｅを受け付け、蓄積部１４１は、受け付けられた電子書類Ｘｅ、および種類情報“電子原本”を、場所識別子“金庫”に対応付けて、格納部１１に蓄積する。なお、種類情報“紙原本”は、電子書類Ｘｅが紙書類Ｘｐのスキャン画像であることを基に取得される。
【０１４８】
受け付けられた電子書類Ｘｅには、文字列“帳簿”が含まれており、属性値取得部１４４は、格納部１１に格納されている対応情報１（図４参照）を用いて、その文字列“帳簿”に対応する属性値“１０年保存，Ｎｕｌｌ”を取得する。蓄積部１４１は、取得された属性値“１０年保存，Ｎｕｌｌ”を、電子書類Ｘｅに対応付けて格納部１１に蓄積する。これによって、格納部１１には、図５に示した電子書類情報１が格納される結果となる。
【０１４９】
第一紙書類群の他の各紙書類についても、上記と同様の処理が行われる。そして、第一紙書類群に対する処理が完了すると、電子書類受付部１２２は、読み込みが完了した旨と共に、場所識別子“金庫”を出力する。これによって、端末装置２ａのディスプレイには、例えば、図７のような画面が表示される。この画面は、文字列“読み込みが完了しました。書類を箱に戻し、書類の入った箱を金庫に入れてください。”と、書類の格納場所である金庫の位置が示された地図とを有する。
【０１５０】
職員ａは、上記画面を参照して、第一紙書類群を箱Ｂ１に再び格納し、第一紙書類群が格納された箱Ｂ１を金庫に格納する。
【０１５１】
引き続き、職員ａは、端末装置２のカメラで、箱Ｂ２に存在するコードＣ２を読み取る。端末装置２において、端末受付部２２が上記読取結果（コードＣ２）を受け付け、端末送信部２４は、受け付けられたコードＣ２を端末識別子“ｂ”と対に書類処理装置１に送信する。
【０１５２】
書類処理装置１において、受信部１３が上記コードＣ２を受信し、端末処理部２３は、受信されたコードＣ２から場所識別子“書庫，第二棚”を取得する。蓄積部１４１は、取得された場所識別子を、箱識別子“Ｂ２”に対応付けて格納部１１に蓄積する。
【０１５３】
次に、職員ａは、箱Ｂ２から第二紙書類群を取り出し、読み込みを行う。スキャナは、例えば、紙書類Ｙｐを読み込み、電子書類Ｙｅを出力する。電子書類Ｙｅは、紙書類Ｙｐのスキャン画像である。
【０１５４】
書類処理装置１において、電子書類受付部１２２が電子書類Ｙｅを受け付け、蓄積部１４１は、受け付けられた電子書類Ｙｅ、および種類情報“紙原本”を、場所識別子“書庫，第二棚”に対応付けて、格納部１１に蓄積する。なお、種類情報“紙原本”もまた、電子書類Ｙｅが紙書類Ｙｐのスキャン画像であることを基に取得される。
【０１５５】
電子書類Ｙｅには、文字列“２年ごとに自動更新”が含まれており、属性値取得部１４４は、対応情報２（図４参照）を用いて、その文字列“２年ごとに自動更新”に対応する属性値“Ｎｕｌｌ，２年更新”を取得する。蓄積部１４１は、取得された属性値“Ｎｕｌｌ，２年更新”を、電子書類Ｙｅに対応付けて、格納部１１に蓄積する。これによって、格納部１１には、図５に示した電子書類情報２が、さらに格納される結果となる。
【０１５６】
第二紙書類群の他の各紙書類についても、上記と同様の処理が行われる。そして、第二紙書類群に対する処理が完了すると、電子書類受付部１２２は、処理が完了した旨を、場所識別子“書庫，第二棚”と共に出力する。職員ａは、第二紙書類群を箱Ｂ２に再び格納し、第二紙書類群が格納された箱Ｂ２を、書庫内の第二棚に格納する。
【０１５７】
さらに、依頼者ｂは、電子書類Ｚｅの保管をも、運営企業に依頼する。電子書類Ｚｅは、保存期間が５年の領収書である。
【０１５８】
端末装置２ｂにおいて、端末格納部２１に上記電子書類Ｚｅが格納されており、端末受付部２２が電子書類Ｚｅの保管を依頼する旨の指示を受け付けると、端末送信部２４は、当該電子書類Ｚｅを端末識別子“ｂ”と対に、書類処理装置１に送信する。
【０１５９】
書類処理装置１において、電子書類受付部１２２が電子書類Ｙｅを受信し、蓄積部１４１は、受信された電子書類Ｚｅ、および種類情報“電子原本”を、場所識別子“Ｎｕｌｌ”、および箱識別子“Ｎｕｌｌ”に対応付けて、格納部１１に蓄積する。なお、種類情報“電子原本”は、電子書類Ｚｅがスキャン画像でない（すなわち、対応する紙書類を保管していない）ことを基に取得される。
【０１６０】
電子書類Ｚｅには、文字列“領収書”が含まれており、属性値取得部１４４は、対応情報３（図４参照）を用いて、その文字列“領収書”に対応する属性値“５年保存，Ｎｕｌｌ”を取得する。蓄積部１４１は、取得された属性値“５年保存，Ｎｕｌｌ”を、電子書類Ｚｅに対応付けて格納部１１に蓄積する。これによって、格納部１１には、図５に示した電子書類情報３が、さらに格納される結果となる。
【０１６１】
現時点で、格納部１１には、３つの電子書類情報１〜３が格納されている。格納部１１のタイミング情報は、毎朝９時に、期限情報に応じた処理を行う旨を示している。期限処理部１４２は、ＭＰＵの内蔵時計等が示す現在時刻が“９：００”を示したことに応じて、３つの電子書類情報１〜３の各々から、期限情報または更新周期情報を取得し、取得した期限情報または更新周期情報に応じた処理を行う。
【０１６２】
期限処理部１４２によって行われる処理は、例えば、次のような処理である。期限処理部１４２は、電子書類情報１から、期限情報“１０年保存”と共に、作成時刻（例えば、“２００８年５月１０日”）を取得し、現在時刻の年月日部分から当該作成時刻を減算する。そして、期限処理部１４２は、その減算結果が、期限情報に含まれる“１０年”を超えたか否かを判別し、減算結果が“１０年”を超えた場合に、電子書類情報１を格納部１１から削除する。従って、電子書類情報１は、現在時刻が“２０１８年５月１１日９：００”となったことに応じて、削除される結果となる。
【０１６３】
また、次のような処理も行われる。期限処理部１４２は、電子書類情報３から、期限情報“５年保存”と共に、蓄積時刻（例えば、“２０１３年５月２０日”）を取得し、現在時刻の年月日部分から当該蓄積時刻を減算する。そして、期限処理部１４２は、その減算結果が、期限情報に含まれる“５年”を超えた場合に、電子書類情報３を削除する。従って、電子書類情報３は、現在時刻が“２０１８年５月２１日９：００”となったことに応じて、削除される結果となる。
【０１６４】
または、期限処理部１４２は、上記のような減算結果が、期限情報に含まれる保存期限を超えたことに応じて、当該電子書類情報から種類情報を取得し、種類情報が“紙原本”を示す場合に、当該電子書類情報の削除を実行し、種類情報が“電子原本”を示す場合には、当該電子書類情報の削除を実行しなくてもよい。この場合、電子書類情報１は、現在時刻が“２０１８年５月１１日９：００”となったことに応じて削除されるが、電子書類情報３は、現在時刻が“２０１８年５月２１日９：００”となって以降も削除されない。
【０１６５】
さらに、次のような処理も行われる。期限処理部１４２は、電子書類情報２から、更新周期情報“２年周期”と共に、更新時刻（例えば、“２０１６年５月３０日”）を取得し、現在時刻の年月日部分から当該更新時刻を減算する。そして、期限処理部１４２は、その減算結果が、更新周期情報に含まれる“２年”を超えたか否かを判別し、減算結果が“２年”を超えた場合に、電子書類情報２を更新する。従って、電子書類情報２は、現在時刻が“２０１８年５月３１日９：００”となったことに応じて、更新される結果となる。
【０１６６】
なお、本例においては、コードの読み取りの後に、書類の読み込みが行われたが、その先後は逆でもよい。
【０１６７】
また、本例においては、運営企業の職員ａが、コードの読み取りと、書類の読み込みとを一人で行っているが、コードの読み取り、または書類の読み込みのいずれか一方は、別の職員によって行われてもよい。詳しくは、蓄積部１４１は、１以上の各箱のコードを読み取った結果である場所識別子を、当該箱を識別する箱識別子に対応付けて格納部１１に蓄積する。電子書類受付部１２２もまた、１以上の各箱の紙書類群を読み込んだ結果である電子書類群を、当該箱を識別する箱識別子に対応付けて格納部１１に蓄積する。これによって、場所識別子と電子書類群とが箱識別子を介して紐づけされる結果、コードの読み取りと書類の読み込みとを別々の職員が行えるようになる。
【０１６８】
具体的には、例えば、場所識別子が埋め込まれたコードとは別の、箱識別子が埋め込まれた第二コードが、１以上の各箱に付されており、職員ａは、各箱のコードを読み取る直前または読み取った直後に、当該箱の第二コードも読み取る。別の職員もまた、各箱の紙書類群を読み込む直前または読み込んだ直後に、当該箱の第二コードを読み取ればよい。
【０１６９】
あるいは、コードの読み取り、または書類の読み込みのいずれか一方または両方は、依頼者側で行われてもよい。具体的には、例えば、各箱に上記のような第二コードが付されており、依頼者ｂは、各箱のコードを読み取る直前または読み取った直後に、当該箱の第二コードも読み取る。端末装置２ｂにおいて、コードと第二コードとの対が読み取られる度に、端末受付部２２は、当該対を受け付け、端末送信部２５は、受け付けられた対を書類処理装置１に送信する。読み取りが完了すると、依頼者ｂは、各箱に紙書類群を格納し、紙書類群が格納された１以上の箱を運営企業宛に発送する。
【０１７０】
書類処理装置１において、受信部１３が上記対を受信し、蓄積部１４１は、受信されたコードが示す場所識別子を、受信された第二コードが示す箱識別子に対応付けて格納部１１に蓄積する。上記１以上の箱が運営企業に到着すると、例えば、職員ａが、各箱の紙書類群の読み込みを行う。その際、職員ａは、各箱の紙書類群を読み込む直前または読み込んだ直後に、当該箱の第二コードの読み取りをも行う。
【０１７１】
書類処理装置１において、第二コードの読み取りと対に紙書類群の読み込みが行われる度に、電子書類受付部１２２が、第二コードと書類情報群との対を受け付け、蓄積部１４１は、当該書類情報群を、当該第二コードが示す箱識別子に対応付けて格納部１１に蓄積する。
【０１７２】
以上、本実施の形態によれば、書類処理装置１は、１または２以上の紙書類が格納されている箱に存在するコードであり、箱の格納場所を特定する場所識別子に対応するコードを読み取った結果である読取結果を受信し、箱に格納されている１以上の紙書類を電子化した１以上の電子書類を受け付け、場所識別子と１以上の電子書類とを対応付けて蓄積することにより、紙書類の格納場所と、当該紙書類を電子化した電子書類との対応を取ることが可能となる。
【０１７３】
また、１以上の各電子書類は、保存義務期限を示す期限情報に対応付いており、書類処理装置１は、電子書類に対して、電子書類に対応付いている期限情報に応じた処理を行うことにより、保存義務期限に応じた処理を行える。
【０１７４】
また、１以上の各電子書類は、原本が紙書類か電子書類かのいずれであるか特定する種類情報に対応付いており、書類処理装置１は、電子書類に対して、電子書類に対応付いている種類情報に応じた処理を行うことにより、原本の種類に応じた処理を行える。
【０１７５】
また、書類処理装置１は、１以上の各電子書類から予め決められた文字列を取得し、文字列に対応する属性値を取得し、属性値を、文字列を含む電子書類に対応付けて蓄積することにより、書類の属性値を自動取得し、管理できる。
【０１７６】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。なお、本実施の形態における書類処理装置１を実現するソフトウェアは、例えば、以下のようなプログラムである。
【０１７７】
つまり、このプログラムは、コンピュータを、１または２以上の紙書類が格納されている箱に存在するコードであり、前記箱の格納場所を特定する場所識別子に対応するコードを読み取った結果である読取結果を受信する受信部１３と、前記箱に格納されている１以上の紙書類を電子化した１以上の電子書類を受け付ける受付部１２と、前記場所識別子と前記１以上の電子書類とを対応付けて蓄積する蓄積部１４１として機能させるためのプログラムである。
【０１７８】
図８は、本実施の形態におけるプログラムを実行して、書類処理装置１等を実現するコンピュータシステム９００の外観図である。本実施の形態は、コンピュータハードウェアおよびその上で実行されるコンピュータプログラムによって実現され得る。図８において、コンピュータシステム９００は、ディスクドライブ９０５を含むコンピュータ９０１と、キーボード９０２と、マウス９０３と、ディスプレイ９０４と、カメラ９１７と、スキャナ９１８とを備える。なお、キーボード９０２やマウス９０３やディスプレイ９０４やカメラ９１７やスキャナ９１８をも含むシステム全体をコンピュータと呼んでもよい。
【０１７９】
図９は、コンピュータシステム９００の内部構成の一例を示す図である。図９において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、カメラ９１７と、スキャナ９１８とを備える。ストレージ９１４は、例えば、ハードディスク、ＳＳＤ、フラッシュメモリなどである。
【０１８０】
コンピュータシステム９００に、書類処理装置１等の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０１８１】
プログラムは、コンピュータの詳細を示す９０１に、書類処理装置１等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１８２】
なお、上述したコンピュータシステム９００は、サーバまたは据え置き型のＰＣであるが、端末装置２は、例えば、タブレット端末やスマートフォンやノートＰＣといった、携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられる。スキャナ９１８は、カメラ９１７で代用可能である。ただし、以上は例示であり、書類処理装置１等を実現するコンピュータのハードウェア構成は問わない。
【０１８３】
また、上記プログラムを実行するコンピュータは、単数であってもよく、複数であってもよい。すなわち、集中処理を行ってもよく、あるいは分散処理を行ってもよい。
【０１８４】
また、上記各実施の形態において、一の装置に存在する２以上の通信手段（例えば、端末送信部２４および端末受信部２５など）は、物理的に一の媒体で実現されてもよいことは言うまでもない。
【０１８５】
また、上記各実施の形態において、各処理は、単一の装置によって集中処理されることによって実現されてもよく、あるいは、複数の装置によって分散処理されることによって実現されてもよい。
【０１８６】
本発明は、以上の実施の形態に限定されることなく、種々の変更が可能であり、それらも本発明の範囲内に包含されるものであることは言うまでもない。
【産業上の利用可能性】
【０１８７】
以上のように、本発明にかかる書類処理装置は、紙書類の格納場所と、当該紙書類を電子化した電子書類との対応を取ることが可能となるという効果を有し、書類処理装置等として有用である。
【符号の説明】
【０１８８】
１  書類処理装置
２、２ａ、２ｂ  端末装置
１１  格納部
１２  受付部
１３  受信部
１４  処理部
１５  出力部
２１  端末格納部
２２  端末受付部
２３  端末処理部
２４  端末送信部
２５  端末受信部
２６  端末出力部
１２１  出力指示受付部
１２２  電子書類受付部
１４１  蓄積部
１４２  期限処理部
１４３  種類処理部
１４４  属性値取得部
１５１  電子書類出力部
【図１】
2019200696.tif 000003
【図２】
2019200696.tif 000004
【図３】
2019200696.tif 000005
【図４】
2019200696.tif 000006
【図５】
2019200696.tif 000007
【図６】
2019200696.tif 000008
【図７】
2019200696.tif 000009
【図８】
2019200696.tif 000010
【図９】
2019200696.tif 000011